(57)【特許請求の範囲】
【請求項１】
電子部品が搭載された電装樹脂基板と、
該電装樹脂基板が固定された基板取付部材と、
該基板取付部材が取り付けられ、器体の外殻を構成する外殻ケースと、
該外殻ケースに装着される天板とを備えるコンロであって、
前記天板が端部に下方に垂れ下がる垂下片を有し、
前記外殻ケースに取り付けた前記基板取付部材の取り外し方向端部が、取り外し方向への移動を阻止するように、前記垂下片の垂れ下がる面と当接することを特徴とするコンロ。
【請求項２】
前記基板取付部材が前記垂下片側と反対方向に突出する突出部を有する鉤爪を有し、前記外殻ケースの枠部天面に前記鉤爪が挿通可能な穴が開口されており、
前記鉤爪を前記穴に挿通させた状態で前記基板取付部材を前記垂下片側と反対方向へ移動させた後、前記天板を装着して、前記垂下片が前記取り外し方向端部と当接することにより、該基板取付部材の前記垂下片側への移動が阻止されることを特徴とする請求項１に記載のコンロ。
【発明の詳細な説明】
【技術分野】
【０００１】
本発明は、コンロ、特に基板取付部材の取付構造に関する。
【背景技術】
【０００２】
従来、コンロにおいて、電子部品を搭載した電装樹脂基板を取り付けるための基板取付部材は、ねじ（ビス）を用いてコンロ本体の外郭ケースに固定されていた。
【０００３】
尚、特許文献１には、火力調整装置のバルブボディを搭載したブラケットを、ねじを用いて板金製ハウジング（外殻ケース）の右側板に固定することが記載されている。
【先行技術文献】
【特許文献】
【０００４】
【特許文献１】特開平７−６３３３６号公報
【発明の概要】
【発明が解決しようとする課題】
【０００５】
しかしながら、組立製造やメンテナンス交換の際に電装樹脂基板を組み付け又は取り外すとき、ねじを脱着させる必要がある。そのため、手間がかかり、作業性が好ましくなかった。また、ねじによるハーネスの損傷、噛み込みやねじが紛失するおそれもあった。さらに、ねじの締め過ぎにより、コンロ本体のねじ穴が破損して、再組み付けができなくなる場合もあった。
【０００６】
上記の点に鑑み、本発明は、ねじを用いることなく、ねじを用いた場合に比べて作業性が良好であり、且つねじ締結と同等の強固な固定状態を維持することが可能な基板取付部材の取付構造を有するコンロを提供することを目的とする。  
【課題を解決するための手段】
【０００７】
本発明は、電子部品が搭載された電装樹脂基板と、該電装樹脂基板が固定された基板取付部材と、該基板取付部材が取り付けられ、器体の外殻を構成する外殻ケースと、該外殻ケースに装着される天板とを備えるコンロであって、前記天板が端部に下方に垂れ下がる垂下片を有し、前記外殻ケースに取り付けた前記基板取付部材の取り外し方向端部が、取り外し方向への移動を阻止するように、前記垂下片の垂れ下がる面と当接することを特徴とする。
【０００８】
本発明によれば、天板が端部に下方に垂れ下がる垂下片を有し、外殻ケースに取り付けた基板取付部材の取り外し方向端部が、外殻ケースに装着される天板の垂下片の垂れ下がる面と当接する。これにより、基板取付部材の取り外し（横）方向への移動が阻止される。そのため、天板が取り外されない限り、基板取付部材は外殻ケースに確実に固定される。
【０００９】
従って、外殻ケースに取り外し可能に取り付けた基板取付部材は、外殻ケースに天板を装着することにより、ねじを用いることなく、取り外し不可能となる。よって、ねじを用いた場合に比べて作業性が良好となる。
【００１０】
また、強固な天板により基板取付部材の取付状態が維持されるので、ねじ締結と同等の強固な固定状態を維持することが可能である。さらに、天板を取り外すことにより、基板取付部材を容易に組み付け、取り外すことが可能となる。
【００１１】
また、本発明において、前記基板取付部材が前記垂下片側と反対方向に突出する突出部を有する鉤爪を有し、前記外殻ケースの枠部天面に前記鉤爪が挿通可能な穴が開口されており、前記鉤爪を前記穴に挿通させた状態で前記基板取付部材を前記垂下片側と反対方向へ移動させた後、前記天板を装着して、前記垂下片が前記取り外し方向端部と当接することにより、該基板取付部材の前記垂下片側への移動が阻止されることが好ましい。
【００１２】
この場合、基板取付部材の鉤爪を外殻ケースの枠部天面に形成された穴に挿通させ、この挿通状態を維持しながら基板取付部材を移動させることにより、鉤爪の突出部と基板取付部材との間に外殻ケースの天面枠部の穴の外周部が挟み込まれる。そのため、基板取付部材は取り外し自在な状態で外殻ケースに仮固定される。
【００１３】
さらに、天板を装着することにより、天板の垂下片が基板取付部材の取り外し方向端部と当接して、基板取付部材の取り外し方向側である垂下片側への移動が阻止される。これにより、前記挟み込み状態が維持される。そのため、天板が取り外されない限り、基板取付部材は外殻ケースに確実に固定される。
【００１４】
従って、ねじを用いることなく、基板取付部材の鉤爪を外殻ケースに形成された穴に挿通させ、この挿通状態を維持しながら基板取付部材を移動させる作業を追加するだけで、基板取付部材を取り付けることができる。よって、ねじを用いた場合に比べて作業性が良好となる。
【図面の簡単な説明】
【００１５】
【図１】本発明の実施形態に係るコンロの斜視図。
【図２】基板ケースが取り付けられた外殻ケースを示す切断斜視図。
【図３】（ａ）から（ｃ）は、基板ケースの外殻ケースへの取り付け方法を模式的に示す断面図。
【図４】基板ケースの斜視図
【図５】電装樹脂基板が取り付けられた基板ケースを示す斜視図。
【図６】図５のＶＩ−ＶＩ線における断面を模式的に示す図。
【発明を実施するための形態】
【００１６】
本発明の実施形態を図面に基づいて説明する。図１に示すように、本実施形態に係るコンロ１は、卓上型ガスコンロである。
【００１７】
コンロ１は、上面が開放された箱形に形成されたコンロ本体２を有しており、コンロ本体２の上面に天板３が装着されている。コンロ本体２の左右側面部分と後面部分の外殻は、板金製の外殻ケース４から構成されている。外殻ケース４の天面及び底面は周辺の枠部４ａ，４ｂ（図２参照）を残して開口されている。外殻ケース４の底面の前後左右の四隅の底面枠部４ｂには支持脚が固定されており、これら支持脚によりコンロ１は台所のガス台（図示せず）の上面に載置される。
【００１８】
コンロ本体２には、左右一対のコンロバーナ５とグリル６とが設けられている。そして、天板３に、各コンロバーナ５を臨ませる開口を形成して、各開口を囲うように五徳７を載置している。また、天板３の後部には、グリル６用の排気口が開設され、この排気口を覆う排気カバー８が載置されている。
【００１９】
コンロ本体２の前面部分には、グリル庫９の前面開口を閉じるグリル扉１０と、その左右に位置する前面パネル１１とが設けられている。前面パネル１１には、コンロバーナ５，５用とグリル６用の３個の操作子１２が配置されている。
【００２０】
図２に示すように、外殻ケース４の後部左側には、Ｌ字プレート１３が固定されている。Ｌ字プレート１３は、水平な底板１３ａと、底板１３ａの後端から折れ曲がり上方に延びる垂直板（図示せず）とから主として構成されており、側面視略Ｌ字形の板金部材である。
【００２１】
Ｌ字プレート１３の垂直板の頂部に形成された一対の突起片が、外殻ケース４の後側板の上端から内方に折れ曲がるように形成された水平な天面枠部４ａに開設された穴４ｃ（図３（ｃ）参照）に挿入されている。また、Ｌ字プレート１３の底板１３ａの底部等が外殻ケース４の底面枠部４ｂに載置され、係止されている。これらにより、Ｌ字プレート１３は、外殻ケース４に位置決めされ固定されている。
【００２２】
そして、電装樹脂基板１４が固定された基板ケース１５が、Ｌ字プレート１３が固定された外殻ケース４に取り付けられている。電装樹脂基板１４は、公知の手段により電子部品等（図示せず）が搭載された樹脂製部材である。電子部品は、例えばマイクロコンピュータ、メモリ、ダイオードであり、電子部品にはハーネスが付されている。
【００２３】
基板ケース１５は、複数の板金部材が溶接等によって固定され一体化したものであり、本発明の基板取付部材に相当する。基板ケース１５の底板１５ａの中央後端から折れ曲がり下方に延びる垂下爪１５ｂ（図４及び図５参照）が、Ｌ字プレート１３の底板１３ａの後端から折れ曲がり下方に延びる垂下爪（図示せず）の後面と当接している。そして、これら垂下爪の下部は前方に少し傾斜している。これにより、基板ケース１５の下部が外殻ケース４に位置決めされる。
【００２４】
さらに、基板ケース１５の上板１５ｃには、一対の鉤爪１５ｄが形成されている。各鉤爪１５ｄは、コンロ１の前方に向って突出する突出部１５ｅを有している。一方、図３（ａ）に示すように、外殻ケース４の天面枠部４ａには、一対の穴４ｃが開口されている。
【００２５】
各鉤爪１５ｄは穴４ｃに挿通可能となっている。即ち、鉤爪１５ｄの前後方向の最大長さＬ１は、穴４ｃの前後方向の長さＬ２より短くなっている。また、鉤爪１５ｄの突出部１５ｅと上板１５ｃとの隙間は、天面枠部４ａの厚さより少し広くなっている。
【００２６】
次に、基板ケース１５の外殻ケース４への取り付け方法について説明する。
【００２７】
まず、図３（ａ）に示すように、基板ケース１５の垂下爪１５ｂをＬ字プレート１３の垂下片と外殻ケース４の後側板との間に挿入させて、基板ケース１５を下方に移動させながら、鉤爪１５ｄを穴４ｃに挿通させる。
【００２８】
そして、図３（ｂ）に示すように、この挿通状態を維持しながら、基板ケース１５の上板１５ｃを前方に水平にスライド移動させて、鉤爪１５ｄの突出部１５ｅと上板１５ｃとの間の隙間に穴４ｃの外周部の天面枠部４ａを位置させて挟み込む。これにより、基板ケース１５は取り外し自在な状態で外殻ケース４に仮固定される。
【００２９】
その後、天板３が図示しない公知の手段により外殻ケース４に上方から固定される。このとき、図３（ｃ）に示すように、天板３は、その端部、ここでは外周縁に垂下片３ａが形成されており、この垂下片３ａが基板ケース１５の上板１５ｃの後端と当接する。上板１５ｃの後端は、基板ケース１５の取り外し方向である後方の端部である。これにより、基板ケース１５が後方に移動することが阻止されて、前記挟み込み状態が維持される。
【００３０】
そのため、天板３が取り外されない限り、天板３により基板ケース１５の抜け出しやガタツキが防止され、基板ケース１５は外殻ケース４に確実に固定される。強固な天板３により基板ケース１５の取付状態が維持されるので、ねじ締結と同等の強固な固定状態が維持される。
【００３１】
以上のように、ねじを用いることなく、基板ケース１５の鉤爪１５ｄを外殻ケース４に形成された穴４ｃに挿通させ、この挿通状態を維持しながら基板ケース１５をスライド移動させる作業を追加するだけで、基板ケース１５を取り付けることができ、ねじを用いた場合に比べて作業性が良好となる。
【００３２】
また、天板３を取り外すことにより、ねじを取り外す必要なく、基板ケース１５を後方にスライド移動させて上方に持ち上げるだけで容易に取り外すことが可能となる。
【００３３】
また、ねじを用いた場合、ねじと接触してハーネスが損傷、噛み込むおそれがあった。しかし、本実施形態では、鉤爪１５ｄは全体が丸みを帯びており、鉤爪１５ｄに接触してもハーネスは損傷せず、噛み込みも生じない。
【００３４】
尚、図示しないが、電装樹脂基板１４の後面に当接して電装樹脂基板１４の後方への移動を規制し、板金部材から構成される規制板が外殻ケース４及びＬ字プレート１３に固定されている。
【００３５】
次に、図４から図６を参照して、電装樹脂基板１４の基板ケース１５への取付構造について説明する。
【００３６】
基板ケース１５には、底板１５ａと上板１５ｃとの間に延在する垂直板１５ｆを有している。そして、その垂直板１５ｆの後面に電装樹脂基板１４の前面が当接している。また、底板１５ａの上面に電装樹脂基板１４が載置されている。
【００３７】
基板ケース１５には、４つの保持片１５ｇ〜１５ｊが形成されている。上部の２つの保持片１５ｇ，１５ｈは、垂直板１５ｆからＬ字状に折れ曲がって形成されている。そして、垂直板１５ｆと平行に延びる保持片１５ｇ，１５ｈの垂直面の前面が電装樹脂基板１４の後端面と当接して、電装樹脂基板１４の後方への移動が抑制されている。
【００３８】
下部の２つの保持片１５ｉ，１５ｊは、底板１５ａから折れ曲がって上方に延びるように形成されている。そして、垂直板１５ｆと平行に延びる保持片１５ｉ，１５ｊの前面が電装樹脂基板１４の後端面と当接して、電装樹脂基板１４の後方への移動が抑制されている。
【００３９】
これら垂直板１５ｆと４つの保持片１５ｇ〜１５ｊの間に挟まれることにより、電装樹脂基板１４は基板ケース１５に対して前後方向が位置決めされている。
【００４０】
さらに、図２を参照して、電装樹脂基板１４の右端には２つの突起１４ａが形成されている。そして、基板ケース１５にはこれら突起１４ａに対応した穴が形成されており、この穴に突起１４ａが挿入されることにより、電装樹脂基板１４は基板ケース１５に対して上下方向が位置決めされている。
【００４１】
さらに、基板ケース１５には、２つの抜止片１５ｋが形成されている。各抜止片１５ｋは、垂直板１５ｆからＬ字状に折れ曲がって形成されており、その先端部は右方向に突出している。そして、図６に示すように、この先端部の左右長さより少し大きな幅を有する窪み１４ｂが電装樹脂基板１４に形成されている。
【００４２】
各抜止片１５ｋの先端部が窪み１４ｂに挿入されることにより、電装樹脂基板１４が安易に基板ケース１５から脱落することが防止される。尚、抜止片１５ｋは可撓性を有しており、電装樹脂基板１４を基板ケース１５に左方向から入れるとき、抜止片１５ｋは撓み、電装樹脂基板１４の進入を妨げない。
【００４３】
以上、本発明の実施形態について説明したが、本発明はこれに限定されない。例えば、Ｌ字プレート１３を使用せずに、又は他の任意の部材を使用して、基板ケース１５を外殻ケース４に取り付ける構成であってもよい。また、基板ケース１５の下部での外殻ケース４への位置決め構成も任意である。
【符号の説明】
【００４４】
１…コンロ、  ２…コンロ本体（器体）、  ３…天板、  ３ａ…垂下片、  ４…外殻ケース、  ４ａ…天面枠部、  ４ｃ…穴、  １４…電装樹脂基板、  １５…基板ケース（基板取付部材）、  １５ｄ…鉤爪、  １５ｅ…突出部。
【図１】
0005456603.tif 000002
【図２】
0005456603.tif 000003
【図３】
0005456603.tif 000004
【図４】
0005456603.tif 000005
【図５】
0005456603.tif 000006
【図６】
0005456603.tif 000007